(57)【要約】【課題】  ビデオ同期信号レベルがサグにより変動しても確実に同期信号を検出する。【解決手段】  比較回路２はビデオ信号を基準電圧103でスライスして同期信号を検出し、回路３は比較回路２の出力によりクランプパルスを発生する。リセット回路４は所定時間後にリセットされる。回路５はビデオ信号をペデスタルクランプし、比較回路６は回路５の出力を基準電圧105でスライスして同期信号出力とする。回路８は、比較回路６の出力によりクランプパルスを発生する。セレクタ回路は回路４の出力により回路３の出力を回路８の出力に切り替えて回路５に供給する。回路５は、セレクタ回路から供給されたクランプパルスによりビデオ信号を基準電圧104にペデスタルクランプする。【選択図】        図１
2007043265.tif 000002
【特許請求の範囲】
【請求項１】
ビデオ信号から同期信号を分離する同期信号検出回路において、
前記ビデオ信号を増幅する増幅回路と、
前記増幅回路により増幅されたビデオ信号を第１基準電圧でスライスして同期信号を検出するする第１の比較回路と、
前記第１の比較回路の出力によりクランプパルスを発生する第１のクランプパルス発生回路と、
前記第１のクランプパルス発生回路の所定回数の出力によりリセットされるリセット回路と、
前記ビデオ信号をペデスタルクランプするためのペデスタルクランプ回路と、
前記ペデスタルクランプ回路の出力を第３基準電圧でスライスして同期信号出力とする第２の比較回路と、
前記第２の比較回路の出力によりクランプパルスを発生する前記第２のクランプパルス発生回路と、
前記リセット回路の出力により前記第１のクランプパルス発生回路の出力を前記第２のクランプパルス発生回路の出力に切り替えて前記ペデスタルクランプ回路に供給するセレクタ回路とを備え、
前記ペデスタルクランプ回路は、前記セレクタ回路から供給されたクランプパルスにより前記ビデオ信号を第３基準電圧にペデスタルクランプすることを特徴とする同期信号検出
【請求項２】
前記第１の基準電圧は、前記ビデオ信号中の同期信号レベルよりやや高い値に設定され、前記第３基準電圧は前記第２基準電圧よりやや低い値に設定されることを特徴とする請求項１記載の同期信号検出回路。
【請求項３】
前記所定回数は、前記ビデオ信号が前記第１のクランプパルス発生回路の出力によりペデスタルクランプされペデスタル部が安定状態になるまでの時間がクランプパルスのカウント数に変換されたものであることを特徴とする請求項１または請求項２記載の同期信号検出回路。
【発明の詳細な説明】
【技術分野】
【０００１】
本発明は、ビデオ信号から同期信号を分離する同期信号検出回路に関する。
【背景技術】
【０００２】
ビデオ信号から画像を再生するには、画像と同期した同期信号がトリガとして必要となる。このビデオ信号から同期信号を取り出すのが同期信号検出回路である。
【０００３】
従来、この種の同期信号検出回路は、図５に示すように構成し、パルスクランプ回路15においてビデオ信号のペデスタルレベルをパルスクランプしてから、ペデスタルレベルよりやや低いスライスレベルと比較し、同期信号を分離している（例えば、特許文献１参照）。
【０００４】
この同期信号検出回路の動作を図６により説明する。ビデオ信号入力端子９から入力されたビデオ信号は、ピーククランプ回路11においてビデオ信号中の同期信号部の先端を予め設定しているクランプレベルにクランプした後、コンパレータ12に供給する。コンパレータ12は、この信号をクランプレベルよりもやや高めに設定されているスライスレベルと比較することにより同期信号を検出し、クランプパルス発生回路13に供給する。
【０００５】
クランプパルス発生回路13からは、コンパレータ12から供給される同期信号に同期して同期信号のバックポーチのタイミングにてクランプパルスが発生され、パルスクランプ回路15に供給される。
【０００６】
パルスクランプ回路15には、ビデオ信号入力端子９から入力されたビデオ信号が供給されており、パルスクランプ回路15は供給されるビデオ信号をクランプパルス発生回路13より出力されるクランプパルスに従って予め設定されたペデスタルレベルにぺデスタルクランプすることにより、ぺデスタル部は所定のレベルに安定した状態となる。パルスクランプ回路15にてクランプされたビデオ信号は、コンパレータ16において、パルスクランプ回路15でのクランプレベルよりもやや低めに設定されるスライスレベルと比較されることにより同期信号が分離され出力される。
【０００７】
【特許文献１】特開平４−１０７０７３号公報（第２頁ー第３頁、図１）
【発明の開示】
【発明が解決しようとする課題】
【０００８】
しかしながら、上述した従来の同期信号検出回路では、ビデオ信号にサグが発生し、ビデオ同期信号レベル（ＤＣレベル）が変動した場合にピーククランプ回路１１のピーク検出レベルも変動する。この時、正確なクランプパルスを発生するためには、コンパレータ12のスライスレベルをピーク検出レベルと常に連動させなければならないという問題が生じる。最悪の場合、クランプパルスが出力されず、同期信号が検出できなくなる。また、コンパレータ12のスライスレベルをピーク検出レベルと常に連動させるようにした回路が可能であっても、その回路規模が大きくなるという問題が生じる。
【０００９】
この理由を図７に示すタイムチャートで説明する。ビデオ信号にサグが発生し、ビデオ同期信号レベル（ＤＣレベル）が変動した場合、ピーククランプ回路11のピーククランプレベルは、例えば図示するような緩やかな正弦波状で常に変動する。これは、ピーククランプ回路11は通常ダイオードクランプ回路で構成されるため、ビデオ信号のピークレベルを一度クランプすると、以降このクランプレベルより低いレベルのピークは検出できるが、高いピークレベルはクランプできない。ピークレベルが高い時は、コンパレータ12はスライスレベルをピーククランプ回路11のクランプレベルで設定しているため正確なクランプパルスを出力することができないからである。
【００１０】
コンパレータ12の出力によりクランプパルスを発生し、ビデオ信号のペデスタルレベルをクランプして安定状態にして同期信号を検出していることから、クランプパルスが出力されないと、ビデオ信号のペデスタルレベルが不安定となり、コンパレータ16において正確な同期信号が検出できなくなる。
【００１１】
そこで、本発明の目的は、ビデオ同期信号レベル（ＤＣレベル）がサグにより変動しても回路の誤動作を防止し、正確な同期信号が検出できる同期信号検出回路を提供することにある。
【課題を解決するための手段】
【００１２】
本発明の同期信号検出回路は、従来の同期信号検出回路にリセット回路とセレクタ回路を追加することで、ビデオ同期信号レベル（ＤＣレベル）がサグにより変動しても回路の誤動作を防止し、特性・性能の向上を実現する。
【００１３】
具体的には、本発明の同期信号検出回路は、ビデオ信号を増幅する増幅回路（図１の１）と、増幅回路により増幅されたビデオ信号を第１基準電圧（図１の103）でスライスして同期信号を検出するする第１の比較回路（図１の２）と、第１の比較回路の出力によりクランプパルスを発生する第１のクランプパルス発生回路（図１の３）と、第１のクランプパルス発生回路の所定回数の出力によりリセットされるリセット回路（図１の４）と、ビデオ信号をペデスタルクランプするためのペデスタルクランプ回路（図１の５）と、ペデスタルクランプ回路の出力を第３基準電圧（図１の105）でスライスして同期信号出力とする第２の比較回路（図１の６）と、第２の比較回路の出力によりクランプパルスを発生する第２のクランプパルス発生回路（図１の８）と、リセット回路の出力により第１のクランプパルス発生回路の出力を第２のクランプパルス発生回路の出力に切り替えてペデスタルクランプ回路に供給するセレクタ回路（図１の７）とを備え、ペデスタルクランプ回路は、セレクタ回路から供給されたクランプパルスによりビデオ信号を第２基準電圧（図１の104）にペデスタルクランプすることを特徴とする。
【００１４】
なお、第１の基準電圧は、ビデオ信号中の同期信号レベルよりやや高い値に設定され、第３基準電圧は第２基準電圧よりやや低い値に設定される。
【００１５】
また、前記所定回数は、ビデオ信号が第１のクランプパルス発生回路の出力によりペデスタルクランプされペデスタル部が安定状態になるまでの時間がクランプパルスのカウント数に変換されたものである。
【発明の効果】
【００１６】
本発明によれば、入力してくるビデオ信号から発生させたクランプパルスによるペデスタルクランプを、ビデオ信号のペデスタル部が安定状態になると基準電圧によるペデスタルクランプに切り替える構成としたため、ビデオ同期信号レベルがサグにより変動しても確実に同期信号を検出することができるという効果が得られる。
【発明を実施するための最良の形態】
【００１７】
図１は本発明の同期信号検出回路のブロック図を示している。この同期信号検出回路は、ビデオ信号入力端子９から入力してくるビデオ信号から同期信号を分離して、同期信号出力端子10から出力する回路であって、増幅回路１と、２つの比較回路２,６と、２つのクランプパルス発生回路３,８と、リセット回路４と、ペデスタルクランプ回路５と、セレクタ回路７とで構成されている。
【００１８】
増幅回路１はビデオ信号入力端子９から入力してくるビデオ信号を予め設定した値に増幅して、比較回路２とペデスタルクランプ回路５へ出力する。比較回路２は、増幅回路１から入力するビデオ信号と、基準電圧入力端子103から供給されている第１基準電圧103を比較することにより同期信号を検出する。第１基準電圧103は、ビデオ信号に含まれているビデオ同期信号レベル（ＤＣレベル）よりもやや高めに予め設定されているスライスレベルである。
【００１９】
クランプパルス発生回路３は、比較回路２から供給される同期信号のバックポーチのタイミングにてクランプパルスを発生して、リセット回路４とセレクタ回路７に出力する。リセット回路４は、クランプパルスを所定数だけカウントするとリセット信号をセレクタ回路７へ出力する。この所定数は、後述のようにビデオ信号がペデスタルクランプされペデスタル部が安定状態になるまでの時間がクランプパルスのカウント数に変換されて設定される。
【００２０】
セレクタ回路７は、リセット回路４からのリセット信号によりクランプパルス発生回路３またはクランプパルス発生回路８の出力を選択する。セレクタ回路７は、リセット回路４がリセットされるまでの間はクランプパルス発生回路３からのクランプパルスを優先して選択し、リセット回路４がリセットされると、クランプパルス発生回路８のクランプパルス信号を優先して選択し、それぞれをペデスタルクランプ回路５に供給する。
【００２１】
ペデスタルクランプ回路５には、増幅回路１で増幅されたビデオ信号が供給されており、セレクタ回路７からのクランプパルスに応答して、予め設定されたペデスタルレベル（第２基準電圧104）にビデオ信号をペデスタルクランプする。これにより、ビデオ信号のペデスタル部は所定のレベルに安定した状態となる。
【００２２】
比較回路６は、ペデスタルクランプ回路５からペデスタルクランプされたビデオ信号と、基準電圧入力端子105から供給されている第２基準電圧105を比較することにより同期信号を分離して同期信号出力端子10から出力するとともに、クランプパルス発生回路８に供給する。第３基準電圧105は、ペデスタルクランプ回路５におけるクランプレベルよりもやや低めに設定されている。
【００２３】
クランプパルス発生回路８は、比較回路６から供給される同期信号のバックポーチのタイミングにてクランプパルスを発生してセレクタ回路７に出力する。
【００２４】
本同期信号検出回路においては、リセット回路４がリセットされるまでの間は比較回路２が同期判定を行い、クランプパルス発生回路３のクランプパルス出力によりビデオ信号をペデスタルクランプし、比較回路６により同期信号を検出する。その後、ビデオ信号のペデスタル部が安定状態になると、リセット回路４がリセットされ、ビデオ信号はクランプパルス発生回路８のクランプパルス出力によりペデスタルクランプされる。
【００２５】
この動作により、ビデオ信号にサグが発生してビデオ同期信号レベルが変動した場合に、比較回路２が同期判別できなくなり、クランプパルス発生回路３が誤動作しても、ビデオ信号をペデスタルクランプするクランプパルスは、クランプパルス発生回路８から供給されるため、ビデオ同期信号レベル変動には追従せず、ビデオ信号のペデスタル部は常にペデスタルクランプ電圧になっており、安定して同期信号を検出できるようになるのである。
【実施例１】
【００２６】
本発明の実施例について図２を参照して説明する。この実施例は、図１に示した実施の形態に対して、コンデンサ100および抵抗101を増幅回路１に前置し、クランプパルス発生回路３を遅延回路31および微分回路32、リセット回路４を遅延回路41およびリセット回路42、ペデスタルクランプ回路５をコンデンサ51およびスイッチ回路52、クランプパルス発生回路８を遅延回路81および微分回路82で構成している。
【００２７】
図２において図１と同じ参照番号を付した増幅回路１，比較回路２，クランプパルス発生回路３等の構成要素の機能は、上記の説明と異なるところがないので、ここでの説明は省略する。
【００２８】
コンデンサ100はビデオ信号の直流成分をカットする。抵抗101はコンデンサ100の出力を基準電圧102に設定する。
【００２９】
クランプパルス発生回路３における遅延回路31は比較回路２の出力を遅延させ、微分回路32は遅延回路31の出力パルスの立下りを検出すると、微幅のクランプパルスを発生する。これにより、クランプパルスは比較回路２から供給される同期信号のバックポーチのタイミングに位置することになる。
【００３０】
リセット回路４における遅延回路41は微分回路32の出力を遅延させ、リセット回路42は遅延回路41の出力の所定数カウントによりリセット信号を出力する。
【００３１】
ペデスタルクランプ回路５におけるコンデンサ51は増幅後のビデオ信号の直流成分をカットする。スイッチ回路52は、セレクタ回路７からのクランプパルスによりオン・オフし、オンの時（クランプパルスがある時）にコンデンサ51から出力されるビデオ信号のペデスタル部を基準電圧104にペデスタルクランプし、ビデオ信号のペデスタル部は安定状態となる。
【００３２】
クランプパルス発生回路８における遅延回路81は、比較回路６の出力を遅延させ、微分回路82は遅延回路81の出力の立下りを検出すると、微幅のクランプパルスを発生する。
【００３３】
次に、本同期信号検出回路の動作について図３のタイムチャートにより説明する。ビデオ信号入力端子９から入力してくるビデオ信号は、図３に示すように、最も低いレベルに同期信号を含んでいる。このビデオ信号は増幅回路１によって予め設定された値だけ増幅され、比較回路２とぺデスタルクランプ回路５に出力される。
【００３４】
比較回路２においては、増幅回路１の出力は第１基準電圧103と比較され、第１基準電圧103でスライスされた出力が同期信号として出力される。この同期信号は遅延回路31により遅延され、遅延後の同期信号の立下り（タイミングt1）は微分回路３２により微分されクランプパルスとして出力される。
【００３５】
クランプパルスは、セレクタ回路７に供給されるとともに、遅延回路41により遅延され、リセット回路42の出力（リセット信号）が“Ｈ”の場合はリセット回路42の出力を“Ｌ”にリセットする。リセット回路42の出力はセレクタ回路７に供給されている。当初（タイミングt0）はリセット回路42の出力が“Ｈ”であるから、セレクタ回路７においてクランプパルスが選択されてぺデスタルクランプ回路５のスイッチ回路52に供給される。
【００３６】
リセット回路42の出力が“Ｌ”にリセットされると（タイミングt2）、セレクタ回路７は微分回路82の出力信号を優先し、比較回路２の出力には関係なくなり、ぺデスタルクランプされた同期信号を判定する比較回路６により同期判定を行うことになる。そのため、ビデオ同期信号レベルが上昇して、比較回路２において同期信号を検出できずクランプパルス発生回路３がクランプパルスを発生しなくても、同期判定には支障をきたすことがなくなるのである。
【００３７】
次に、ビデオ信号にサグが発生した場合の動作について図４のタイムチャートにより説明する。
【００３８】
ビデオ信号にサグが発生しビデオ同期信号レベルが変動した場合、増幅回路１の同期信号レベルは、図４に例示するように緩やかな正弦波状となって常に変動する。増幅回路１の出力信号によりスライスレベルを設定している比較回路２は、ビデオ同期信号レベルがスライスレベルより低い場合は同期判定を行い、微分回路32はクランプパルスを出力する。微分回路32がクランプパルスを出力すると、ビデオ信号がペデスタルクランプされ、比較回路６が同期信号を出力し、同時に微分回路82もクランプパルスを出力する。
【００３９】
リセット回路42は、ビデオ信号のペデスタル部が安定すると、リセット信号出力し、ビデオ信号は微分回路82のクランプパルス出力によりペデスタルクランプされる。その後、ビデオ信号の途中でサグによりビデオ同期信号レベルが比較回路２のスライスレベルより高くなり、微分回路32から正確なクランプパルスが出力されなくなっても、ビデオ信号は微分回路82のクランプパルス出力によりペデスタルクランプされ、ペデスタル部は常にペデスタルクランプ電圧なり安定しているため、サグによるビデオ同期信号レベルの変動には追従せず、比較回路６は正確に同期信号を検出することができる。
【図面の簡単な説明】
【００４０】
【図１】本発明の実施の形態を示す回路図
【図２】本発明の一実施例を示す回路図である。
【図３】図２に示した実施例の動作を示すタイムチャート
【図４】図２に示した実施例のサグ発生時における動作を示すタイムチャート
【図５】従来の同期信号発生回路を示す回路図
【図６】従来の同期信号発生回路の動作を示すタイムチャート
【図７】従来の同期信号発生回路のサグ発生時における動作を示すタイムチャート
【符号の説明】
【００４１】
１            増幅回路
２，６        比較回路
３，８        クランプパルス発生回路
４，42        リセット回路
31，81        遅延回路
５            ペデスタルクランプ回路
７            セレクタ回路
９            ビデオ信号入力端子
10            同期信号出力端子
32，41，82    微分回路
51，100       容量
52            スイッチ回路
101           抵抗
102           基準電圧入力端子
103           第１基準電圧
104           第２基準電圧
105           第３基準電圧
【図１】
2007043265.tif 000003
【図２】
2007043265.tif 000004
【図３】
2007043265.tif 000005
【図４】
2007043265.tif 000006
【図５】
2007043265.tif 000007
【図６】
2007043265.tif 000008
【図７】
2007043265.tif 000009